(57)【要約】【課題】簡単に設置ができ、かつ撮影される人のプライバシーを保護することのできる監視画像記録装置の提供。【解決手段】監視画像記録装置１００は、監視カメラ１０と、監視カメラ１０によって撮像された画像を記録するハードディスクパック４００と、監視カメラ１０及びハードディスクパック４００を収容する開閉自在なカバー３０２を有する筐体３００と、カバー３０２が閉じられた状態でカバー３０２を施錠するロック部３１０とを備える。【選択図】図２
2005123796.tif 000002
【特許請求の範囲】
【請求項１】
監視カメラと、
前記監視カメラによって撮像された画像を記録するハードディスクユニットと、
前記監視カメラ及び前記ハードディスクユニットを収容する、開閉自在な開閉部を有する筐体と、
前記開閉部が閉じられた状態で前記開閉部を施錠するロック部と
を備えた監視画像記録装置。
【請求項２】
前記監視カメラの前記筐体に対する向きを変更自在に保持する保持部を更に備えた、請求項１に記載の監視画像記録装置。
【請求項３】
前記筐体に対して固定され、前記監視カメラ及び前記ハードディスクユニットを駆動するバッテリを更に備えた、請求項１に記載の監視画像記録装置。
【請求項４】
不揮発性メモリと、
前記ハードディスクユニットにおいて画像が格納された領域を示す記録領域情報を定期的に前記不揮発性メモリに格納するシステム制御部と
を更に備えた、請求項１に記載の監視画像記録装置。
【請求項５】
前記ハードディスクユニットに画像を書き込むと共に、前記記録領域情報を定期的に前記システム制御部に出力するハードディスク制御部
を更に備え、
前記システム制御部は、前記ハードディスク制御部から受信した前記記録領域情報を前記不揮発性メモリに順次格納する、請求項４に記載の監視画像記録装置。
【請求項６】
前記ハードディスクユニットへの記録停止を指示する記録停止ボタンを更に備え、
前記システム制御部は、前記記録停止ボタンが操作されたときに、前記ハードディスクユニットへの画像の記録を停止すると共に、前記不揮発性メモリに格納されている前記記録領域情報を前記ハードディスクユニットに書き込む、請求項４に記載の監視画像記録装置。
【請求項７】
前記ハードディスクユニットの各セクタに記録すべき順序が予め定められており、前記システム制御部は、画像が書き込まれた最終セクタを前記記録領域情報として、前記不揮発性メモリに定期的に格納する、請求項４に記載の監視画像記録装置。
【請求項８】
前記予め定められた記録順序は、前記ハードディスクユニットにおける、物理的に連続したトラックの順序に従っている、請求項７に記載の監視画像記録装置。
【請求項９】
前記システム制御部は、当該装置の起動時に、前記ハードディスクユニットに格納された前記最終セクタを読み取り、読み取った最終セクタの次のセクタから画像の記録を開始する、請求項７に記載の監視画像記録装置。
【請求項１０】
前記システム制御部は、当該装置の起動時に、前記ハードディスクユニットに未だ書き込まれていない最終セクタが前記不揮発性メモリに格納されていると判断した場合、当該最終セクタを前記ハードディスクユニットに書き込んだ後に、当該最終セクタの次のセクタから画像の記録を開始する、請求項９に記載の監視画像記録装置。
【請求項１１】
監視カメラと、前記監視カメラによって撮像された画像を記録するハードディスクユニットと、不揮発性メモリとを備えた装置による監視画像記録方法であって、
前記ハードディスクユニットにおいて画像が格納された領域を示す記録領域情報を定期的に前記不揮発性メモリに格納する監視画像記録方法。
【請求項１２】
監視カメラと、前記監視カメラによって撮像された画像を記録するハードディスクユニットと、不揮発性メモリとを備えた監視画像記録装置用のプログラムであって、
前記ハードディスクユニットにおいて画像が格納された領域を示す記録領域情報を定期的に前記不揮発性メモリに格納する制御機能
を備えたプログラム。
【発明の詳細な説明】
【技術分野】
【０００１】
本発明は、監視画像記録装置、監視画像記録方法、及びそのプログラムに関する。特に本発明は、監視画像を記録するハードディスクユニットを内蔵した監視画像記録装置、監視画像記録方法、及びそのプログラムに関する。
【背景技術】
【０００２】
従来、セキュリティーを確保する為に、監視領域の画像を撮影して記録する監視カメラシステムが用いられている。監視カメラシステムは、画像を撮影する監視カメラと、監視カメラが撮影した画像を表示するモニタと、監視カメラが撮影した画像を記録するテープなどの記録媒体と備える。モニタ及び記録媒体は、一般に通常監視カメラとは別の場所に設置される。そして監視カメラシステムの管理者はモニタに映っている監視画像や記録媒体に格納された画像を再生することによって、異常が発生していないかを判断する。なお、出願の時点で上記従来の技術を示す文献番号等を把握していないので、その記載を省略する。
【発明の開示】
【発明が解決しようとする課題】
【０００３】
しかしながら、従来の監視カメラシステムは、監視領域に出入りする人のプライバシーを侵害する恐れがあるという課題がある。例えば、更衣室での盗難を防止する目的で設置した監視カメラによる監視画像を、更衣室を利用する人の意に反して、監視カメラとは別の場所に設置されたモニタに表示したり、記録媒体に記録したりしてしまうという課題があった。
【０００４】
さらに、従来の監視カメラシステムは、監視カメラ、モニタ、及び記録媒体を設置して、それぞれを接続するのに手間がかかるので、建設現場の監視などの一時的な利用には不向きであるという課題があった。
【０００５】
そこで本発明は、上記の課題を解決する監視画像記録装置、監視画像記録方法、及びそのプログラム提供することを目的とする。この目的は特許請求の範囲における独立項に記載の特徴の組み合わせにより達成される。また従属項は本発明の更なる有利な具体例を規定する。
【課題を解決するための手段】
【０００６】
本発明の第１の形態によれば、監視カメラと、監視カメラによって撮像された画像を記録するハードディスクユニットと、監視カメラ及びハードディスクユニットを収容する、開閉自在な開閉部を有する筐体と、開閉部が閉じられた状態で開閉部を施錠するロック部とを備えた監視画像記録装置が提供される。
【０００７】
監視カメラの筐体に対する向きを変更自在に保持する保持部を更に備えてもよい。筐体に対して固定され、監視カメラ及びハードディスクユニットを駆動するバッテリを更に備えてもよい。
【０００８】
不揮発性メモリと、ハードディスクユニットにおいて画像が格納された領域を示す記録領域情報を定期的に不揮発性メモリに格納するシステム制御部とを更に備えてもよい。
【０００９】
ハードディスクユニットに画像を書き込むと共に、記録領域情報を定期的にシステム制御部に出力するハードディスク制御部を更に備え、システム制御部は、ハードディスク制御部から受信した記録領域情報を不揮発性メモリに順次格納してもよい。
【００１０】
ハードディスクユニットへの記録停止を指示する記録停止ボタンを更に備え、システム制御部は、記録停止ボタンが操作されたときに、ハードディスクユニットへの画像の記録を停止すると共に、不揮発性メモリに格納されている記録領域情報をハードディスクユニットに書き込んでもよい。
【００１１】
ハードディスクユニットの各セクタに記録すべき順序が予め定められており、システム制御部は、画像が書き込まれた最終セクタを記録領域情報として、不揮発性メモリに定期的に格納してもよい。
【００１２】
予め定められた記録順序は、ハードディスクユニットにおける、物理的に連続したトラックの順序に従っていてもよい。
【００１３】
システム制御部は、当該装置の起動時に、ハードディスクユニットに格納された最終セクタを読み取り、読み取った最終セクタの次のセクタから画像の記録を開始してもよい。
【００１４】
システム制御部は、当該装置の起動時に、ハードディスクユニットに未だ書き込まれていない最終セクタが不揮発性メモリに格納されていると判断した場合、当該最終セクタをハードディスクユニットに書き込んだ後に、当該最終セクタの次のセクタから画像の記録を開始してもよい。
【００１５】
本発明の第２の形態によれば、監視カメラと、監視カメラによって撮像された画像を記録するハードディスクユニットと、不揮発性メモリとを備えた装置による監視画像記録方法は、ハードディスクユニットにおいて画像が格納された領域を示す記録領域情報を定期的に不揮発性メモリに格納する。
【００１６】
監視カメラと、監視カメラによって撮像された画像を記録するハードディスクユニットと、不揮発性メモリとを備えた監視画像記録装置用のプログラムは、ハードディスクユニットにおいて画像が格納された領域を示す記録領域情報を定期的に不揮発性メモリに格納する制御機能を備える。
【００１７】
なお、上記の発明の概要は、本発明の必要な特徴の全てを列挙したものではなく、これらの特徴群のサブコンビネーションもまた、発明となりうる。
【発明の効果】
【００１８】
本発明によれば、監視カメラと、監視画像を記録するハードディスクユニットとを、施錠可能な筐体に内蔵することによって、監視領域に出入りする人のプライバシーを保護し、かつ設置が容易な監視画像記録装置を提供することができる。また、ハードディスクユニットにおける監視画像の記録領域を定期的に管理することによって、監視画像をシームレスに記録することができる。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２０】
図１及び図２は、本発明の一実施形態に係る監視画像記録装置１００の外観を示す。図１は、監視画像記録装置１００の筐体を閉じた状態を、図２は筐体を開けた状態をそれぞれ示す。監視画像記録装置１００は、監視領域の画像を撮影する監視カメラ１０と、監視カメラ１０が撮影した画像を記録するハードディスクパック４００と、周囲の音を音声信号に変換して取得する内蔵マイク２２と、監視カメラ１０及びハードディスクパック４００を収容する開閉自在な筐体３００と、筐体３００が閉じられた状態で筐体３００を施錠するロック部３１０とを備える。筐体３００において、内蔵マイク２２に対向する位置にはマイク孔３１６が設けられている。ここで、ハードディスクパック４００は、本発明のハードディスクユニットの一例である。
【００２１】
筐体３００は、ヒンジ３０６によって回動可能に接続されたケース３０４及びカバー３０２を有し、ロック部３１０は、カバー３０２がケース３０４に対して閉じられた状態でカバー３０２を施錠する。ロック部３１０は、鍵６００を用いて開錠及び施錠される。監視画像記録装置１００は、ロック部３１０が施錠された状態で、ハードディスクパック４００に監視画像を記録することによって、監視画像が記録されたハードディスクパック４００が、第３者によって不正に取り出されることが防止される。なお、カバー３０２は、本発明の開閉部の一例である。
【００２２】
監視画像記録装置１００はさらに、筐体３００を設置面に固定するためのベースプレート３１４と、ベースプレート３１４の設置面側に設けられ、ベースプレート３１４を磁力により接地面に固定するマグネット３１８（図１）とを備える。設置面が鉄などの強磁性体であれば、マグネット３１８の磁力により監視画像記録装置１００を容易に設置することができる。
【００２３】
さらに監視画像記録装置１００は、監視カメラ１０を筐体３００に対して固定した上で、監視カメラ１０の筐体３００に対する向きを自在に調節できるボール継手３０８を備える。これにより、設置面に監視画像記録装置１００を設置した後、監視カメラ１０の向きを容易に調節することができる。ボール継手３０８は、本発明の保持部の一例である。
【００２４】
さらに監視画像記録装置１００は、内蔵マイク２２が取得した音声信号を増幅するマイクアンプ２４と、マイクアンプ２４が出力する音声信号及び監視カメラ１０が出力するビデオ信号をＩＥＥＥ１３９４（ＤＶ）のデジタル信号に変換するメディアコンバータ４０と、メディアコンバータ４０が出力するデジタル信号をハードディスクパック４００に記録するハードディスクレコーダ２００とを備える。ハードディスクレコーダ２００とハードディスクパック４００とは、ハードディスク書き込み用のビット列をやり取りするのに適した、着脱可能なコネクタによって接続される。
【００２５】
ハードディスクレコーダ２００は、ハードディスクパック４００への監視画像の記録を開始又は停止する操作を行う操作部２０６を有する。操作部２０６は、ロック部３１０が開錠され、カバー３０２が開かれた状態でのみ操作可能である。これにより、鍵６００を所持する管理者以外の人間が監視画像記録装置１００の記録を開始又は停止することが防止できる。
【００２６】
監視画像記録装置１００はさらに、現在時刻を示すリアルタイムクロックを監視画像に合成して表示するＲＴＣ＆ＯＳＤ１８を備える。監視カメラ１０とＲＴＣ＆ＯＳＤ１８とメディアコンバータ４０、内蔵マイク２２とマイクアンプ２４とメディアコンバータ４０、並びにメディアコンバータ４０とハードディスクレコーダ２００は、それぞれやり取りするデータの種類に適した仕様のケーブル３２０で接続される。
【００２７】
監視カメラ１０は、監視の用途に応じて交換可能である。例えば、赤外線カメラを使用することにより、夜間の監視を行うことができる。また、赤外線リモコン又は無線でアングル及び画角を遠隔操作できるドームカメラを使用することにより、設置後に、監視範囲を自由に変更することができる。あるいは、ケーブル３２０が接続された状態で監視カメラ１０を筐体３００から取り外し、筐体３００から離れた位置に設置してもよい。この場合、管理者は監視カメラ１０から離れた位置で操作部２０６を操作し、監視画像の記録開始及び記録停止の操作を容易に行うことができる。また、ハードディスクパック４００を管理者の手元に置くことによって、記録済み監視画像のセキュリティーが向上する。
【００２８】
監視画像記録装置１００は更に、商用電源等の外部電源から得た電力を監視画像記録装置１００の各部に供給する電源部５０と、外部電源が供給されない場合に、監視画像記録装置１００の各部を駆動するバッテリとを備える。バッテリは、例えばケース３０４とベースプレート３１４の間にネジなどの固定手段を用いて固定される。外部電源が供給される場合には、監視画像記録装置１００はバッテリを取り外した状態でも動作する。バッテリの容量は、例えばハードディスクパック４００の記録可能時間に相当する時間以上、監視画像記録装置１００を動作させる容量であることが望ましい。監視画像記録装置１００は、バッテリを備えることにより、停電時や、屋外での使用時など、外部電源が供給されない状況においても監視画像を記録することができる。
【００２９】
監視画像記録装置１００は、監視画像を出力する出力端子（図示せず）を更に有する。出力端子に外部モニタを接続することによって、監視カメラ１０が現在撮影している画像を外部モニタで確認することができる。また、ハードディスクレコーダ２００がハードディスクパック４００に記録された監視画像を読み出し、出力端子経由でノートパソコン等の画像処理装置に出力することによって、記録された画像を画像処理装置で編集したり、静止画を取り出すことができる。
【００３０】
上記した構成により、監視画像記録装置１００は、従来の監視システムのように面倒な設置及び接続作業を行うことなく、簡単に監視画像を記録することができる。また、施錠可能な筐体３００に収容したハードディスクパック４００に、監視画像を記録するので、画像に映った人のプライバシーが保護される。
【００３１】
図３は、監視画像記録装置１００のハードウェア構成の一例を示すブロック図である。監視カメラ１０及び内蔵マイク部２０はメディアコンバータ４０を経由してハードディスクレコーダ２００に接続され、ハードディスクレコーダ２００はハードディスクパック４００と着脱可能に接続される。メディアコンバータ４０は、監視カメラ１０及び内蔵マイク部２０からそれぞれビデオ信号と音声信号を取得し、ＩＥＥＥ１３９４（ＤＶ）のデジタル信号に変換してハードディスクレコーダ２００に出力する。ハードディスクレコーダ２００は、メディアコンバータ４０から取得したデジタルデータを、後述する制御方法に従ってハードディスクパック４００に書き込む。
【００３２】
ハードディスクパック４００は、記録媒体であるディスクと、ディスクに対してデータを読み書きするヘッドと、ヘッドをディスク上で移動させるアクチュエータとを有する。ディスクは、同心円のトラックに区分され、各トラックはセクタで区分されている。セクタは、ディスクドライブ上でアドレス可能な最小単位であり、データが格納される場所である。
【００３３】
ハードディスクレコーダ２００は、メディアコンバータ４０から取得するＩＥＥＥ１３９４のシリアル信号を、ハードディスク書き込み用のビット列に変換するＩＥＥＥ１３９４インターフェイス２０２と、ＩＥＥＥ１３９４インターフェイス２０２からハードディスク書き込み用のビット列を取得してハードディスクパック４００に書き込むハードディスク制御回路２０４とを備える。ハードディスク制御回路２０４は、ハードディスクパック４００のアクチュエータを制御してディスク上の目標のトラックにヘッドを移動させ、目標のセクタにデータを書き込む。
【００３４】
ハードディスクレコーダ２００は更に、ハードディスクレコーダ２００の各部の動作を統括制御するＣＰＵ２０８と、ＣＰＵ２０８に接続されたＥＥＰＲＯＭ２１０と、ユーザの操作を受け付けてＣＰＵ２０８に通知する操作部２０６とを備える。ＣＰＵ２０８は、本発明のシステム制御部の一例である。ＥＥＰＲＯＭ２１０は、本発明の不揮発性メモリの一例であり、例えばフラッシュメモリを用いる。操作部２０６は、本発明の記録停止操作部の一例である。
【００３５】
各部のインターフェイスは、メディアコンバータ４０とＩＥＥＥ１３９４インターフェイス２０２の間がＩＥＥＥ１３９４インターフェイス、ＣＰＵ２０８に対するＩＥＥＥ１３９４インターフェイス２０２及びハードディスク制御回路２０４の接続がＣＰＵバス、操作部２０６とＣＰＵ２０８の間がオペレーションパネルインターフェイス、ＣＰＵ２０８とＥＥＰＲＯＭ２１０の間がＥＥＰＲＯＭインターフェイスである。ＩＥＥＥ１３９４インターフェイス２０２とハードディスク制御回路２０４との間はさらに制御線で接続され、ハードディスクパック４００は、ハードディスク制御回路２０４に対してＨＤパック用のインターフェイスで接続される。
【００３６】
ハードディスクパック４００の各セクタにデータを記録すべき順序は予め定められている。例えば、ディスクにおいて物理的に連続したトラックの順序に従っている。ハードディスク制御回路２０４は、定められた順序に従って画像及び音声のデジタルデータをハードディスクパック４００に書き込むと共に、画像が書き込まれた最終セクタを定期的にＣＰＵ２０８に出力する。ＣＰＵ２０８は取得した最終セクタを順次ＥＥＰＲＯＭ２１０に書き込む。ＣＰＵ２０８が最終セクタをＥＥＰＲＯＭ２１０に書き込む周期は、例えば監視画像の１フレームに付き一回、すなわち３０〜５０ｍｓｅｃ．程度である。
【００３７】
これにより、ＣＰＵ２０８は、ハードディスクレコーダ２００の予期せぬ電源断が起きても、ＥＥＰＲＯＭ２１０から最終セクタを読み出すことによって、記録を再開すべき位置を知ることができる。この結果、予期せぬ電源断の後に記録を再開する場合において、電源断の直前に記録された監視画像を監視画像記録装置１００が上書きしてしまうことが防止される。すなわち、予期せぬ電源断が起きた場合でも、ハードディスクパック４００に記録された監視画像が適切に保全される。
【００３８】
監視画像記録装置１００は、一旦画像の記録を開始すると、記録停止ボタンが押されるか電源部５０に電源が供給されなくなるまで、連続して監視画像を記録し続ける。予め定められた記録の順序に従って画像が記録され、記録可能な最後のセクタまで画像が記録されると、監視画像記録装置１００は最初のセクタに戻り、現在の画像を過去の画像に上書きしながら記録する。従って、ハードディスクパック４００の最大記録時間を超えて監視画像が記録された後、記録停止ボタンが押されたには、停止した位置からハードディスクパック４００の最大記録時間分の監視画像を遡って確認することができる。
【００３９】
操作部２０６は、少なくとも記録開始ボタンと記録停止ボタンを有する。ＣＰＵ２０８は、操作部２０６の記録停止ボタンが操作されると、ハードディスク制御回路２０４によるハードディスクパック４００への画像の記録を停止させると共に、ＥＥＰＲＯＭ２１０に格納されている最終セクタをハードディスクパック４００に書き込む。そして記録開始ボタンが操作された場合、ハードディスクパック４００に格納されている最終セクタを読み取り、読み取った最終セクタの次のセクタから画像の記録を開始する。
【００４０】
このように、ＣＰＵ２０８は、記録停止時に最終セクタをハードディスクパック４００自体にも記録するので、ハードディスクパック４００が交換された場合でも、適切なセクタから画像の記録を再開することができる。なお、ＣＰＵ２０８は、ハードディスクパック４００への監視画像の記録を開始する場合、記録を開始した開始セクタをハードディスクパック４００に書き込む。従って、ＣＰＵ２０８は、ハードディスクパック４００の開始セクタ及び最終セクタを読み取ることによって、画像が格納されている領域を判断することができる。開始セクタ及び最終セクタは、本発明の記録領域情報の一例である。
【００４１】
記録媒体５００は、ハードディスク制御回路２０４及びＣＰＵ２０８の機能をハードディスクレコーダ２００に実現させるプログラムを格納している。記録媒体５００は、ＣＤ−ＲＯＭの他に、フレキシブルディスク、ＤＶＤ及びＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをハードディスクレコーダ２００に提供してもよい。
【００４２】
以上の構成によれば、監視画像記録装置１００は、ハードディスクパック４００における監視画像の記録領域を定期的に記録することによって、監視画像データをシームレスに記録すると共に、ハードディスクパック４００が交換された場合にも、適切な位置から記録を再開することができる。
【００４３】
図４は、ハードディスクレコーダ２００の動作の一例を示すフローチャートである。本フローにおいてハードディスクレコーダ２００は、電源投入後ハードディスクパック４００に新たな監視画像を記録する。なお、説明にあたっては図３のブロック図を併せて参照する。
まず、ハードディスクレコーダ２００の電源が投入されると（Ｓ１００）、ＣＰＵ２０８は、ＥＥＰＲＯＭ２１０から「書き込みフラグ」を読み出す（Ｓ１０２）。「書き込みフラグ」は、ＣＰＵ２０８がＥＥＰＲＯＭ２１０に格納されている最新の最終セクタをハードディスクパック４００に書き込んだか否かを示すフラグである。「書き込みフラグ」が１の場合、書き込みが完了していることを示し、０の場合、書き込みが完了していないことを示す。電源投入の時点で「書き込みフラグ」の書き込みが完了していないのは、前回の記録中に、停電やバッテリ切れによってハードディスクレコーダ２００が異常終了したことを示す。
【００４４】
ＣＰＵ２０８は、読み出した書き込みフラグが１であるか否かを判断する（Ｓ１０４）。ＥＥＰＲＯＭ２１０から読み出した書き込みフラグが０の場合（Ｓ１０４：Ｎｏ）、ＣＰＵ２０８は、ＥＥＰＲＯＭ２１０に格納されている最終セクタを読み出し（Ｓ１０６）、ハードディスク制御回路２０４経由でハードディスクパック４００に当該最終セクタを書き込む（Ｓ１０８）。この段階で、ハードディスクパック４００において実際に画像が書き込まれた最終のセクタと、記録領域情報として書き込まれた最終セクタとが一致する。これにより、ハードディスクパック４００に記録された監視画像の最後の部分が適切に保全される。一方、ステップ１０４において、書き込みフラグが１であると判断すると、ステップ１１０に進む。
【００４５】
ステップ１１０に於いて、ＣＰＵ２０８は、ハードディスクパック４００から最終セクタを読み出し、次のセクタを新たな記録の開始位置とする（Ｓ１１０）。そして、操作部２０６の記録開始ボタンが押下されると（Ｓ１１２：Ｙｅｓ）、ハードディスク制御回路２０４に新たな監視画像の記録を開始させる（Ｓ１１４）。ハードディスク制御回路２０４は、一フレーム分の監視画像の記録が完了する度に、ＣＰＵ２０８に最終セクタを出力する。ＣＰＵ２０８は、最終セクタを取得するたびに、ＥＥＰＲＯＭ２１０に格納する。すなわちＣＰＵ２０８は、３０〜５０ｍｓｅｃ．程度の周期で最終セクタをハードディスクパック４００に書き込む（Ｓ１１６）。
【００４６】
ＣＰＵ２０８は、ハードディスクパック４００への画像の記録と並行して、操作部２０６において記録停止ボタンが押下されたか否かを判断する（Ｓ１１８）。記録停止ボタンが押下されていない場合（Ｓ１１８：Ｎｏ）、ステップ１１６に戻り、画像の記録と最終セクタの書き込みを続ける。一方、記録停止ボタンが押下されたと判断すると（Ｓ１１８：Ｙｅｓ）、ＥＥＰＲＯＭ２１０に格納されている最終セクタをハードディスクパック４００に書き込む（Ｓ１２０）。以上で、本フローは終了する。
【００４７】
以上のフローによれば、ハードディスクレコーダ２００は、ハードディスクパック４００に記録された監視画像の記録領域をＥＥＰＲＯＭ２１０及びハードディスクパック４００を用いて適切に管理することができる。これにより、断続的な記録や電源断などによる異常終了時にも、終了直前の監視画像を確実に保全すると共に、監視画像をシームレスに記録することができる。
【００４８】
図５は、監視画像記録装置１００のハードウェア構成の他の例を示すブロック図である。本実施例の監視画像記録装置１００は、図３で説明した構成に加えて、人体センサ１４、記録制御回路１６、ＲＴＣ＆ＯＳＤ１８、外部マイク部３０、電源部５０、バッテリ５６、ＤＣジャック５２、及びＡＣアダプタ５４を更に備える。その他の構成は、図３で説明した構成と同一なので説明を省略する。
【００４９】
人体センサ１４は監視画像記録装置１００の監視範囲における人体の有無を検知する。記録制御回路１６は、人体センサ１４が人体を検知した場合に、ハードディスクパック４００に人体の検知を示すインデックスを書き込む。あるいは、記録制御回路１６は、人体センサ１４が人体を検知している間に限って、ハードディスクレコーダ２００に監視画像を記録させる。また、人体センサ１４は、ドアの開閉を検知するドアセンサであってもよい。この場合、記録制御回路１６は、ドアが開閉された時点の画像にインデックスを書き込んでもよい。あるいは、ドアが開閉されてから一定時間の間、監視画像を記録してもよいし、ドアが開閉されてから再びドアが開閉されるまでの間、監視画像を記録してもよい。これにより、記録済み画像を確認する場合に、人物の出入りに着目して効率良く画像を確認できる。
【００５０】
監視カメラ１０には交換可能なレンズ１２が取り付けられている。監視画像記録装置１００は、画角や倍率などの光学特性が異なる複数のレンズ１２を、用途に応じて交換することによって、適切な監視画像を得ることができる。また、人体センサ１４、記録制御回路１６、及び監視カメラ１０は、オプション部６０として、監視場所、監視対象、監視時間などの使用状況に応じて交換が可能である。使用状況に適した仕様のオプション部６０を使用することによって、撮影される画像及び撮影タイミングが最適な監視画像を記録することができる。
【００５１】
ＲＴＣ＆ＯＳＤ１８は、撮影日時を示すリアルタイムクロックを生成し、監視カメラ１０が撮影した監視画像に、リアルタイムクロックを合成して表示するオンスクリーンディスプレイ機能を実現する。ＲＴＣ＆ＯＳＤ１８の機能によって、ハードディスクパック４００に記録された監視画像を後で確認する場合に、監視画像の撮影日時を容易に視認することができる。
【００５２】
外部マイク部３０は、監視領域に設置された外部マイクの音声信号入力を受け付けてメディアコンバータ４０に出力する。外部マイク部３０は、外部マイクの音声信号を入力する外部マイク入力部３２と、外部マイク入力部３２からの音声信号を増幅するマイクアンプ２４とを有する。
【００５３】
ＡＣアダプタ５４は、商用電源などの交流電力を直流電力に変換して監視画像記録装置１００に供給する。ＤＣジャック５２は、ＡＣアダプタ５４を差し込むことにより、ＡＣアダプタ５４から直流電力を取得し、電源部５０に供給する。電源部５０は、供給された電力を監視画像記録装置１００の各部の仕様に合わせた電圧及び電流に変換して供給する。監視画像記録装置１００は、ＡＣアダプタ５４がＤＣジャック５２に差し込まれた状態で、ＡＣアダプタ５４のプラグ部分の周囲を一定のクリアランスで囲む窪み部５３をさらに有する。これにより、ＡＣアダプタ５４をこじる外力が加わった場合に、ＡＣアダプタ５４の変形を窪み５３が一定の範囲内に抑える。したがって、ＡＣアダプタ５４及びＤＣジャック５２に対する機械的なダメージを低減することができる。
【００５４】
バッテリ５６は、監視画像記録装置１００に着脱可能に取り付けられている。バッテリ５６が取り付けられていて、かつＡＣアダプタ５４から外部電源が供給されている場合、電源部５０はバッテリ５６を充電する。一方、バッテリ５６が取り付けられていて、外部電源が供給されていない場合、バッテリ５６は電源部５０に直流電力を供給することによって、監視カメラ１０、ハードディスクレコーダ２００、及びハードディスクパック４００をはじめとする各部を駆動する。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５６】
【図１】本発明の一実施形態に係る監視画像記録装置１００の外観図を示す。
【図２】監視画像記録装置１００の内部構造を示す外観図である。
【図３】監視画像記録装置１００のハードウェア構成の一例を示すブロック図である。
【図４】ハードディスクレコーダ２００の動作の一例を示すフローチャートである。
【図５】監視画像記録装置１００のハードウェア構成の他の例を示すブロック図である。
【符号の説明】
【００５７】
１０  監視カメラ
１２  レンズ
１４  人体センサ
１６  記録制御回路
１８  ＲＴＣ＆ＯＳＤ
２０  内蔵マイク部
２２  内蔵マイク
２４、３４  マイクアンプ
３０  外部マイク部
３２  外部マイク入力部
４０  メディアコンバータ
５０  電源部
５２  ＤＣジャック
５４  ＡＣアダプタ
５６  バッテリ
６０  オプション部
１００  監視画像記録装置
２００  ハードディスクレコーダ
２０２  ＩＥＥＥ１３９４インターフェイス
２０４  ハードディスク制御回路
２０６  操作部
２０８  ＣＰＵ
２１０  ＥＥＰＲＯＭ
３００  筐体
３０２  カバー
３０４  ケース
３０６  ヒンジ
３０８  ボール継手
３１０  ロック部
３１４  ベースプレート
３１６  マイク孔
３１８  マグネット
３２０  ケーブル
４００  ハードディスクパック
５００  記録媒体
６００  鍵
【図１】
2005123796.tif 000003
【図２】
2005123796.tif 000004
【図３】
2005123796.tif 000005
【図４】
2005123796.tif 000006
【図５】
2005123796.tif 000007